(57)【要約】【課題】  仕切板の読出装置に接続された通信ケーブルを、収納部内に露出させることなく配設処理可能にし、且つ読出装置から出される電磁波が電磁遮蔽材よって影響を受けることのない什器を提供すること。【解決手段】  読出装置９に接続された通信ケーブル１８を背面板６に形成した長孔６ａに通し、背面板と後面板との間に形成した中空部２３に配設されることで配線処理が行われるので、通信ケーブル１８を仕切板１５の背面側から収納部２２内にはみ出させることなく、什器１の正面からの見栄えが損なわれることが防止される。特に長孔６ａを有するため仕切板１５がどの位置にあっても効果的に通信ケーブル１８を隠蔽できる。【選択図】  図４
2005239345.tif 000002
【特許請求の範囲】
【請求項１】
前面に形成された開口を利用して、ＲＦＩＤタグが取り付けられた物品が収納可能になっている収納部を備え、該収納部には物品情報が記録された前記ＲＦＩＤタグの情報を読み出す読出装置が備えられる什器であって、少なくとも該什器を構成する後面板は電磁遮蔽材によって構成され、該後面板から前方に所定間隔以上離間させて前記収納部を構成する非電磁遮蔽材からなる背面板を設けるとともに、前記収納部には前記読出装置が配設された仕切板が設けられ、該仕切板により左右方向複数に区画され、前記読出装置からの通信ケーブルを、前記背面板に穿設された左右方向を向く長孔を通し、前記背面板と前記後面板とで形成された中空部を介して配設したことを特徴とする物品情報の読出装置を備える什器。
【請求項２】
前記仕切板は収納部に対して、左右方向に移動可能になっている請求項１に記載の物品情報の読出装置を備える什器。
【請求項３】
前記背面板と前記後面板との間にスペーサ片を設け、該スペーサ片に通信ケーブルを上下に配線可能な左右方向を向く配線溝を形成した請求項１または２に記載の物品情報の読出装置を備える什器。
【請求項４】
前記仕切板の正面側にはコ字状の係合片が設けられ、前期収納部に設けられる棚板の前端部に前記係合片を左右方向に沿って摺動可能に構成した請求項１乃至３のいずれかに記載の物品情報の読出装置を備える什器。
【発明の詳細な説明】
【技術分野】
【０００１】
本発明は、物品情報が記録されたＲＦＩＤタグの情報を読み出すための読出装置を備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照。）。
【０００４】
上記文献１のように什器側で物品情報を読み出すものにおいて、例えば、什器の一部が金属等の電磁遮蔽材（ＥＭＳ材）で構成されている場合には、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合が生じることがあった。
【０００５】
そこで、本出願人は、什器内に配設される仕切板に読出装置を電磁遮蔽材で構成された什器内から所定間隔離間して配設することで、読出装置の電磁波が電磁遮蔽材に影響されることなく、什器内に収納される物品のＲＦＩＤタグの物品情報の読み取りを可能にした什器を既に出願している（特許文献２参照。）。
【０００６】
【特許文献１】特開平７−１８２３５７号公報（段落００１１−００２２、第１−３図）
【特許文献２】特願２００３−３８４２５１号（段落００３９−００４２、第３，５図）
【発明の開示】
【発明が解決しようとする課題】
【０００７】
しかしながら、上記文献２のように仕切板に設けられた物品情報を読み出す読出装置に接続される通信ケーブルおいては、通常仕切板の背面から接続され、仕切板と背面板の間に配設された状態になっており、例えば、仕切板を什器内の左右方向に移動させた際に、通信ケーブルが仕切板の背面側からはみ出した状態となり、什器の正面側から収納部内の見栄えを損ねる恐れがあった。
【０００８】
そこで本発明は、仕切板の読出装置に接続された通信ケーブルを、収納部内に露出させることなく配設処理可能にし、且つ読出装置から出される電磁波が電磁遮蔽材よって影響を受けることのない什器を提供することを目的としている。
【課題を解決するための手段】
【０００９】
上記課題を解決するために、本発明の請求項１に記載の物品情報の読出装置を備える什器は、前面に形成された開口を利用して、ＲＦＩＤタグが取り付けられた物品が収納可能になっている収納部を備え、該収納部には物品情報が記録された前記ＲＦＩＤタグの情報を読み出す読出装置が備えられる什器であって、少なくとも該什器を構成する後面板は電磁遮蔽材によって構成され、該後面板から前方に所定間隔以上離間させて前記収納部を構成する非電磁遮蔽材からなる背面板を設けるとともに、前記収納部には前記読出装置が配設された仕切板が設けられ、該仕切板により左右方向複数に区画され、前記読出装置からの通信ケーブルを、前記背面板に穿設された左右方向を向く長孔を通し、前記背面板と前記後面板とで形成された中空部を介して配設したことを特徴としている。
この特徴によれば、読出装置に接続される通信ケーブルが背面板に形成された長孔に通って、背面板と後面板との間に形成された中空部に延びるように配線処理が行われるので、通信ケーブルが仕切板の背面側から収納部内にはみ出ることなく、什器の正面からの見栄えが損なわれることがない。特に長孔を有するため仕切板がどの位置にあっても効果的に通信ケーブルを隠蔽できる。
【００１０】
本発明の請求項２に記載の物品情報の読出装置を備える什器は、請求項１に記載の物品情報の読出装置を備える什器であって、前記仕切板は収納部に対して、左右方向に移動可能になっていることを特徴としている。
この特徴によれば、仕切板の位置を所望の位置に設置して収納部を左右に区画でき、かつ収納部内の左右方向に仕切板を移動させた場合であっても、背面板に左右方向を向く長孔が形成されているので、通信ケーブルも仕切板の移動に伴なって同方向に長孔内を移動することから、収納部内に通信ケーブルがはみ出すことのない配線処理が行なわれる。
【００１１】
本発明の請求項３に記載の物品情報の読出装置を備える什器は、請求項１または２に記載の物品情報の読出装置を備える什器であって、前記背面板と前記後面板との間にスペーサ片を設け、該スペーサ片に通信ケーブルを上下に配線可能な左右方向を向く配線溝を形成したことを特徴としている。
この特徴によれば、スペーサ片によって背面板を常に後面板から前方に離間させて設置することができるとともに、スペーサ片に形成される配線溝は左右方向に形成されているので、長孔を介して配線溝に吊下する通信ケーブルは、仕切板の移動に伴なって、長孔内を移動するとともに配線溝内でも同方向に移動することから、仕切板の移動を妨げることなく長孔からの配線を配線溝を介して下方に配設することができる。
【００１２】
本発明の請求項４に記載の物品情報の読出装置を備える什器は、請求項１乃至３のいずれかに記載の物品情報の読出装置を備える什器であって、前記仕切板の正面側にはコ字状の係合片が設けられ、前期収納部に設けられる棚板の前端部に前記係合片を左右方向に沿って摺動可能に構成したことを特徴としている。
この特徴によれば、棚板の前端部から係合片の係合または係脱により仕切板の着脱が行えるため、読取装置等のメンテナンスが容易に行えるばかりか、仕切板の移動に際しては、棚板の左右方向に沿って仕切板を摺接させながら移動させることにより、棚板から仕切板を取り外すことなく適宜所望の取付位置への変更を容易に行うことができる。
【発明を実施するための最良の形態】
【００１３】
本発明の実施例を以下に説明する。
【実施例】
【００１４】
図1は、本発明の実施例における物品情報の読出装置を備える什器の斜視図であり、図２（ａ）は、仕切板の分解組立を示す斜視図であり、図２（ｂ）は、仕切板の取り付けを示す斜視図であり、図３は、什器内の背面板の構造を示す背面斜視図であり、図４は、図１のＡ−Ａ線を示す縦断面図であり、図５は、図１のＢ−Ｂ線を示す平面断面図である。この什器（以下、什器１）は、図書館や資料館、学校および企業等に設置されており、什器１に複数の本や資料（以下、物品１９）を数多く載置して、利用者が直に物品の取り出しを行えるようになっている。
【００１５】
本発明の実施例を図面に基づいて説明すると、什器１は図1に示されるように、床面に電磁遮蔽材（本実施例では金属スチール材）から構成された棚板３が設けられた載置台５が設置され、載置台５の両側面から上下方向に延びる電磁遮蔽材から構成された側面板１４が左右に一対にて設けられている。
【００１６】
什器１の上端部には電磁遮蔽材から構成された上面板８が両側面板１４に挟持されるように設けられており、これら左右の側面板１４、載置台５、上面板８によって什器１の枠体が構成されている。この枠体の背面に電磁遮蔽材から構成された後面板（図示略）が嵌合するように設けられ、什器１の正面は前面に開放された前面開口部２５が形成される。
【００１７】
載置台５の後方の下端部に後述するＬＡＮケーブル２１を外部に配線するための配線孔２ｂが形成される。両側面板１４の所定の高さ位置には、上下方向に電磁遮蔽材から構成された棚板３が複数段設けられ、物品１９を収納する収納部２２が複数上下方向に区画されている（本実施例では５つに区画）。各棚板３毎に対応して仕切板１５が取り付けられており、内部に後述において詳述する読出装置に相当するＲＦＩＤアンテナ９が設けられている。以下、本実施例では什器１の正面側を前方とし、什器１の背面側を後方として説明する。
【００１８】
この棚板３の上面には、後述において説明するＲＦＩＤ（Ｒａｄｉｏ  Ｆｒｅｑｕｅｎｃｙ  ＩＤｅｎｔｉｆｉｃａｔｉｏｎ、無線による識別）タグが取り付けられた物品１９が複数載置されている。載置台５の内部には、集線装置やチューナ等の機能を備えた中継装置１６と、ＲＦＩＤアンテナ９と中継装置１６に電力を給電するための電源アダプタ１７がそれぞれ設けられている。
【００１９】
各ＲＦＩＤアンテナ９には、各種信号の送受信を行う信号ケーブル（図示略）と、電力を供給する給電ケーブル（図示略）と、を含む通信ケーブル１８が各々接続されており、信号ケーブルは中継装置１６内の集線装置に接続され、給電ケーブルは電源アダプタ１７に接続され什器１内に配設されている。
【００２０】
中継装置１６はＬＡＮケーブル２１を介して、ＬＡＮ網に接続され物品管理システムの管理や運用を行う管理コンピュータ２０に接続されている。中継装置１６内にはデータ変換機能を備えたチューナによって、管理コンピュータ２０とＲＦＩＤアンテナ９間で種々のデータの送受信が行えるようになっている。
【００２１】
つまり、物品１９のＲＦＩＤタグの物品情報のデータが管理コンピュータ２０に送信されることで、管理コンピュータ３で複数の棚板３毎に載置される物品１９の物品情報の管理が一元的に行えるようになっている。
【００２２】
なお、本実施例のＲＦＩＤアンテナ９と、物品情報が記録されたＲＦＩＤタグには、それぞれコイル型のアンテナ（図示略）を用いており、ＲＦＩＤアンテナ９とＲＦＩＤタグのコイル間に誘導されて発生する磁束を利用した電磁誘導方式により交信を行うようになってる。
【００２３】
そして、本実施例のＲＦＩＤアンテナ９の読み出し周波数は、電磁誘導方式の短波帯（１３．５６ＭＨｚ）の周波数を用いているが、本発明はこれら電磁誘導方式や周波数に限定されるものではなく、例えば、電磁誘導方式の長波帯（〜１３５ｋＨｚ）や、マイクロ波帯の電波を利用した電波方式のマイクロ波帯（２．４５ＧＨｚ）等を利用したものがあり、什器や棚板に載置される物品の形状や特性、交信距離にあわせて、より理想的な環境下に適合した最適な方式と周波数のＲＦＩＤアンテナとＲＦＩＤタグを適宜利用するようにすれば良い。
【００２４】
仕切板１５の構造と取り付けについて具体的に説明する。図２（ａ）は仕切板１５の下方より上方に棚板３を見上げた斜視図が示され、仕切板１５は仕切本体１５ａと蓋１５ｃからなり、内部にＲＦＩＤアンテナ９が納められている。この仕切本体１５ａにはＲＦＩＤアンテナ９が所定の位置に配設され、仕切本体１５ａの前後に条溝（図示略）が形成されている。
【００２５】
蓋１５ｃの内面には支持板１５ｄが取り付けられており、ＲＦＩＤアンテナ９を支持するようになっている。仕切本体１５ａの前方の底部には、棚板３の前端部に係合可能なコ字状の係合片１５ｂが設けられ、仕切本体１５ａの前後の条溝（図示略）に蓋１５ｃの両測端が嵌挿されることで、仕切板１５が構成される。ＲＦＩＤアンテナ９に接続された通信ケーブル１８は仕切板１５の背面から後方へと配設される。
【００２６】
なお、ＲＦＩＤアンテナ９の左右面に接する仕切本体１５ａと蓋１５ｃは、例えば物品１９の収納時に、ＲＦＩＤアンテナ９に傷や故障等が発生することを未然に防ぐアンテナ保護被膜としての機能も有している。
【００２７】
次いで、仕切板１５の取り付けについて図２（ｂ）を用いて説明する。図２（ｂ）は什器１の前面開口部側の下方より上方に棚板３を見上げた斜視図が示され、仕切板１５を取り付けるには、前方より後方に向かって仕切板１５ａを移動させながら、前述した仕切板１５ａの係合片１５ｂのコ字状の開口側から棚板３の前端部３ａに完全に係合するまで、押し込むことで取り付けが完了する。
【００２８】
このように、係合片１５ａを棚板前端部３ａに係合するだけで、仕切板１５の取り付けが容易に行える。また、仕切板１５の取り外しについては、取り付けと略逆の作業を行えば良いので詳細な説明を省略するが、棚板前端部３ａから係合片１５ａの係脱を行うだけで、容易に仕切板１５を取り外すことができる。
【００２９】
そして、仕切板１５の取り付け後に棚板３の仕切板１５の取付位置の変更を行う場合には、棚板３の左右方向に沿って係合片１５ａを棚板前端部３ａに摺接させながら移動させることにより、係合片１５ａを棚板前端部３ａに係合させた状態で移動させることができ、棚板３から仕切板１５を取り外すことなく適宜所望の取付位置への変更を容易に行うことができるようになっている。
【００３０】
棚板３の底部には、左右の長さ方向に形成された補強部材３ｃが前後に一対設けられ仕切板１５の支持強度を高めている。棚板３の後端部３ｂの上面には、後述において説明する背面板６が載置され、背面板６の前面が仕切板１５の背面に近傍する位置に設けられている。
【００３１】
次いで、前述した背面板６について具体的に説明する。図３に示されるように、硬質プラスチック材からなる背面板６は略断面Ｌ字状に棚板の長さ方向に押出成型され、背面板６には通信ケーブル１８を前後に配線可能な左右方向を向く長孔６ａが形成され、さらに背面板６下端に後方に向かって延設するスペーサ片６ｃが設けられている。このスペーサ片６ｃには、通信ケーブル１８を上下に配線可能な左右方向を向く配線溝６ｂが形成されている。
【００３２】
収納部２２を左右に区画する仕切板１５の背面側からは通信ケーブル１８の一端が接続され、ＲＦＩＤアンテナ９に接続されている。通信ケーブル１８の他端は背面板６の長孔６ａを通じ、さらに配線溝６ｂを通じて下方に配線されている。このように、切板１５の背面から通信ケーブル１８が長孔６ａに配設されることで、通信ケーブル１８が背面板６により遮蔽されるようになっている。
【００３３】
そして、長孔６ａ及び配線溝６ｂが左右方向に向いて形成されているので、長孔６ａを介して配線溝６ｂに吊下する通信ケーブル１８は、仕切板１５の移動に伴なって、長孔６ａ内を移動するとともに配線溝６ｂ内でも同方向に移動することから、仕切板１５の移動を妨げることなく長孔６ａからの配線を配線溝６ｂを介して下方に配設することができる。
【００３４】
したがって、仕切板１５を左右いずれかの方向に移動した場合であっても、仕切板１５のＲＦＩＤアンテナ９に接続される通信ケーブル１８は、常に背面板６の裏側に収納される。仕切板１５がどの位置にあっても背面板６によって効果的に隠蔽され、収納部内に通信ケーブル１８がはみ出すことのない配線処理が行なわれている。
【００３５】
次に、什器１の構造を中心に具体的に説明する。図４に示されるように、側面板１４の内面には上下方向に複数のピン穴１４ｂが前方と後方に形成され、それぞれのピン穴１４ｂの所定の高さ位置にピン１４ａが複数取り付けられている。このピン１４ａに各棚板３が載置され位置固定されている。
【００３６】
各棚板３には仕切板１５がそれぞれ取り付けられており（本実施例では５枚）、前端部３ａと係合片１５ｂの係合により位置固定されている。仕切板１５に設けられたＲＦＩＤアンテナ９は支持板１５ｄによって、棚板３の上面から所定間隔以上（Ｌ１）離間されて支持されている。
【００３７】
ＲＦＩＤアンテナ９と電磁遮蔽材である棚板３との間隔（Ｌ１）については、ＲＦＩＤアンテナからの電磁波を棚板３から影響されることなくＲＦＩＤタグに受信させ、ＲＦＩＤタグからの電磁波を棚板３から影響されることなくＲＦＩＤアンテナに受信させるために、少なくともＲＦＩＤアンテナと棚板３との間隔を４０ｍｍ以上離間させることが好ましいことが実験的に検証されている。同じく物品に設けられるＲＦＩＤタグの取り付け位置も棚板３から４０ｍｍ以上離間させることが好ましい。
【００３８】
そこで、本実施例においては図４に示されるように、什器１に適用されたＲＦＩＤアンテナ９と棚板３との間隔（Ｌ１）が５０ｍｍとなっている。同様に、特に図示しないが、電磁遮蔽材である上面板８とＲＦＩＤアンテナ９との間隔も、５０ｍｍとなっている。
【００３９】
このように、仕切板１５に設けられたＲＦＩＤアンテナ９の取付位置は、棚板３の上面から上方および棚板３の下面から下方にそれぞれ所定間隔（Ｌ１）以上離間した位置で取り付けることで、読出装置であるＲＦＩＤアンテナ９とＲＦＩＤタグ１１の互いの電磁波の受信が各棚板３に影響されずに、物品のＲＦＩＤタグの情報を各棚板毎に確実に読み出すことができる。また、各棚板３は電磁遮蔽材で構成されているので、上下に位置するＲＦＩＤアンテナ９同士の電磁波が互いに干渉することなく、物品のＲＦＩＤタグ１１の情報を各棚板３毎に確実に読み出すことができる。
【００４０】
また、背面板６はスペーサ片６ｃによって、背面板６の前面が電磁遮蔽材である後面板７の前面から所定間隔以上（Ｌ２）離間され、棚板３ｂの後端部３ｂ上面に設置されており、背面板６と後面板７間には中空部が形成される。
【００４１】
ＲＦＩＤアンテナ９と電磁遮蔽材である後面板７との間隔（Ｌ２）については、ＲＦＩＤアンテナからの電磁波を後面板７から影響されることなくＲＦＩＤタグに受信させ、ＲＦＩＤタグからの電磁波を後面板７から影響されることなくＲＦＩＤアンテナに受信させるために、少なくともＲＦＩＤアンテナと後面板７との間隔を４０ｍｍ以上離間させることが好ましいことが実験的に検証されている。そこで、本実施例においては図４に示されるように、什器１に適用された背面板６と後面板７の間にスペーサ片６ｃが設けられたことで、背面板６の前後幅である所定間隔（Ｌ２）が５０ｍｍとなっている。
【００４２】
このように、スペーサ片６ｃを設けることで、ＲＦＩＤアンテナ９が取り付けられた仕切板１５を常に後面板７から前方に所定間隔（Ｌ２）以上離間した状態で棚板３に取り付けることができ、読出装置であるＲＦＩＤアンテナ９とＲＦＩＤタグ１１の互いの電磁波の受信が後面板７に影響されずに、物品のＲＦＩＤタグの情報を各棚板３毎に確実に読み出すことができる。
【００４３】
各仕切板１５のＲＦＩＤアンテナ９に接続された通信ケーブル１８は、長孔６ａ、中空部２３、配線溝６ｂを介して下方に垂らすように配設され、各々の通信ケーブル１８が一つに束ねられて下方に配線され、載置台５の棚板後方に形成したケーブル孔５ａを介して中継装置１６と電源アダプタ１７に接続され、中継装置１６からＬＡＮケーブル２１が配線され、脚柱２に形成した配線孔２ｂを介して外部に配設されている。
【００４４】
なお、ＲＦＩＤアンテナ９は仕切板１５の内側に設けられることで、ＲＦＩＤアンテナ９が外部に露出することなく、仕切板１５を構成する仕切本体１５ａと蓋１５ｃがＲＦＩＤアンテナ９のアンテナ保護被膜として保護機能を担うことで、例えば、物品１９の載置や取り出し等の外部からの衝撃による故障や劣化による補修等の問題が生じることを防止でき、長期にわたって使用することが可能となる。
【００４５】
図５に示されるように、棚板３には所望の位置に仕切板１５が取り付けられ、仕切板１５によって収納部２２が左右に区画されており、複数の物品１９が載置されている。仕切板１５は左右の側面板１４から内方に向かって所定間隔（Ｌ３）以上離間され取り付けられている。物品１９の前面側と裏面側にはＲＦＩＤタグ１１がＲＦＩＤアンテナ９と平行になるように設けられている。
【００４６】
背面板６の長孔６ａの左右の長さ幅は、仕切板１５を左右方向に移動させた際に、仕切板１５内に設けられたＲＦＩＤアンテナ９と左右の側面板１４との間隔が所定間隔（Ｌ３）未満とならないように仕切板１５の移動を規制する幅となっている。
【００４７】
ＲＦＩＤアンテナ９と電磁遮蔽材である側面板１４との間隔については、ＲＦＩＤアンテナからの電磁波を側面板１４から影響されることなくＲＦＩＤタグに受信させ、ＲＦＩＤタグからの電磁波を側面板１４から影響されることなくＲＦＩＤアンテナに受信させるために、少なくともＲＦＩＤアンテナと側面板１４との間隔を４０ｍｍ以上離間させることが好ましいことが実験的に検証されている。そこで、本実施例においては図５に示されるように、ＲＦＩＤアンテナ９と側面板１４との間隔（Ｌ３）が５０ｍｍとなっている。
【００４８】
このように、側面板１４が電磁遮蔽材から構成される場合であっても、ＲＦＩＤアンテナ９を側面板１４から所定間隔（Ｌ３）以上離間され配置されているため、読出装置であるＲＦＩＤアンテナ９とＲＦＩＤタグ１１の互いの電磁波の受信が側面板１４に影響されることを防止できるとともに、電磁遮蔽材からなる側面板１４によって、読出装置に相当するＲＦＩＤアンテナ９からの電磁波を棚板３の両側端で遮断することができ、ＲＦＩＤアンテナ９によるＲＦＩＤタグ（図示略）の物品情報の読出範囲を制限することができるので、例えば、隣に配置される什器内に設置されたＲＦＩＤアンテナ（読出装置）との互いの電磁波の干渉や、電磁波の誤受信を未然に防止できる。
【００４９】
以上の説明により、ＲＦＩＤアンテナ９に接続される通信ケーブル１８が背面板６に形成された長孔６ａに通って、背面板６と後面板７との間に形成された中空部２３に延びるように配線処理が行われるので、通信ケーブル１８が仕切板１５の背面側から収納部２２内にはみ出ることなく、什器１の正面からの見栄えが損なわれることがない。
【００５０】
さらに、読出装置に相当するＲＦＩＤアンテナ９の仕切板１５への取付位置が電磁遮蔽材に相当する棚板３及び後面板７、側面板１４、上面板８から所定間隔以上離間された状態であるため、読出装置であるＲＦＩＤアンテナ９からの電磁波を棚板３及び後面板７、側面板１４に影響されることなくＲＦＩＤタグ１１に受信させ、ＲＦＩＤタグ１１からの電磁波を棚板３及び後面板７、側面板１４に影響されることなくＲＦＩＤアンテナ９に受信させることができる。
【００５１】
以上、本発明の実施例を図面により説明してきたが、具体的な構成はこれら実施例に限られるものではなく、本発明の要旨を逸脱しない範囲における変更や追加があっても本発明に含まれ、上記実施例では、仕切板１５内にＲＦＩＤアンテナ９を設けることで、ＲＦＩＤアンテナ９が外部に露出することなく、仕切本体１５ａと蓋１５ｃによって保護されることから好ましいが、本発明はこれに限定されるものではなく、例えば、ＲＦＩＤアンテナ９の表面にアンテナ保護被膜を設けることで、ＲＦＩＤアンテナ９を仕切板１５の側面側に露出させるように設置しても良く、什器１、１’の利用形態に合わせてＲＦＩＤアンテナ９の設置状態を決めるようにしても良い。
【００５２】
また、上記実施例では、ＲＦＩＤタグ１１が物品１９に貼付され取り付けられているが、本発明はこれに限定されるものではなく、例えば物品１９内にＲＦＩＤタグ１１を埋め込んで取り付けたり、物品１９内部にそのまま内挿した状態でも良く、物品の商品特性を生かした取り付け方法で適宜ＲＦＩＤタグを取り付ければ良い。
【００５３】
また、上記実施例では、管理コンピュータ２０を外部に設けた構成（図１参照）にすることで、他の複数の什器（図示略）を一元的に管理可能にしているが、本発明はこれに限定されるものではなく、例えば、中継装置１６が収納される載置台５内に管理コンピュータ２０を内蔵するようにしても良く、什器毎に物品の管理を行うようにしても良い。
【図面の簡単な説明】
【００５４】
【図１】本発明の実施例における物品情報の読出装置を備える什器の斜視図である。
【図２】（ａ）は、仕切板の分解組立を示す斜視図であり、（ｂ）は、仕切板の取り付けを示す斜視図である。
【図３】什器内の背面板の構造を示す背面斜視図である。
【図４】図１のＡ−Ａ線を示す縦断面図である。
【図５】図１のＢ−Ｂ線を示す平面断面図である。
【符号の説明】
【００５５】
１                什器
２                脚柱（電磁遮蔽材）
２ａ              係合穴
２ｂ              配線孔
３                棚板（電磁遮蔽材）
３ａ              前端部
３ｂ              後端部
３ｃ              補強部材
５                載置台
５ａ              ケーブル孔
６                背面板（非電磁遮蔽材）
６ａ              長孔
６ｂ              配線溝
６ｃ              スペーサ片
７                後面板（電磁遮蔽材）
８                上面板（電磁遮蔽材）
９                ＲＦＩＤアンテナ（読出装置）
１１              ＲＦＩＤタグ
１４              側面板（電磁遮蔽材）
１４ａ            ピン
１４ｂ            ピン穴
１５              仕切板（非電磁遮蔽材）
１５ａ            仕切本体
１５ｂ            係合片
１５ｃ            蓋
１５ｄ            支持板
１６              中継装置（集線装置及びデータ変換チューナ機能を備える）
１７              電源アダプタ
１８              通信ケーブル（給電ケーブル及び信号ケーブルを含む）
１９              物品
２０              管理コンピュータ
２１              ＬＡＮケーブル
２２              収納部
２３              中空部（背面板と後面板との空間）
２５              前面開口部
【図１】
2005239345.tif 000003
【図２】
2005239345.tif 000004
【図３】
2005239345.tif 000005
【図４】
2005239345.tif 000006
【図５】
2005239345.tif 000007